(57)【要約】【課題】吐水口のすぐ下流側の部分において、洗浄水がボウル径内側に流下しやすい水洗便器を提供する。【解決手段】ボウル面２０は、棚部と、上部壁面２３と、を有する。棚部は、平面視環状に形成され、棚部の上面４０のボウル径外側の端部から上部壁面２３が立ち上がる。上面４０のボウル周方向の一部にボウル径内側の端部から覆い壁部４２が立ち上がり、覆い壁部４２と上部壁面２３とで挟まれる空間が給水空間５となり、給水空間５に対応する上面４０が給水面５０となる。給水空間５の下部の上部壁面２３に、ボウル径内側に突出してその上面が給水面５０となる突出部７を有する。ボウル径内側に下り傾斜する主傾斜面７１を有し、その下主傾斜面７２に接続する内棚面４６０となる内突部４６を有し、内棚面４６０が、ボウル径内側に下り傾斜する。【選択図】図５
2018123550.tif 000002
【特許請求の範囲】
【請求項１】
汚物および洗浄水を受ける上方に開口するボウル面を備え、
前記ボウル面は、その上縁開口から所定高さ下側の部分に前記上縁開口に沿う平面視環状またはＣ字状に形成され、上方を向く上面を有する棚部と、前記棚部の前記上面のボウル径外側の端部から上がり法線がボウル径内側を向く上部壁面と、を有し、
前記棚部の前記上面のボウル周方向の一部に、ボウル径内側の端部から上方に突出する覆い壁部を有し、
前記棚部の前記上面上の前記覆い壁部と前記上部壁面とで挟まれる空間が、給水部からの水が供給される給水空間となるとともに、前記棚部の前記上面の前記給水空間に対応する部分が給水面となり、前記棚部の前記上面の前記給水面より下流側の部分が前記覆い壁部に覆われない棚面となり、
前記給水空間の下流端となるボウル周方向の端部が前記棚面へ水を吐出する吐水口となり、
前記給水空間の前記上部壁面に、ボウル径内側に突出してその上面が前記給水面となる突出部を有し、
前記突出部は、前記給水空間のボウル径内外方向の全長にわたって位置し、その上面である前記給水面がボウル径内側に下り傾斜する主傾斜面を有し、
前記主傾斜面は、ボウル径内側に位置する下主傾斜面と、前記下主傾斜面よりボウル径外側に位置する上主傾斜面とを有し、
前記棚面は、ボウル径内側に位置して前記下主傾斜面に接続する内接続領域に、上方に突出してその上面が前記棚面を構成する内棚面となる内突部を有し、
前記内棚面が、ボウル径内側に下り傾斜することを特徴とする水洗便器。
【請求項２】
前記棚面は、ボウル径外側に位置して前記上主傾斜面に接続する外接続領域に、上方に突出してその上面が前記棚面を構成する外棚面となる外突部を有し、
前記外棚面が、ボウル周方向の下流側に向けて下り傾斜することを特徴とする請求項１記載の水洗便器。
【請求項３】
前記上主傾斜面は、ボウル周方向の下流側に向けて下り傾斜するとともに上流側へ行くほどボウル径内外方向の長さが短く形成されていることを特徴とする請求項１または２記載の水洗便器。
【発明の詳細な説明】
【技術分野】
【０００１】
本発明は、水洗便器に関する。
【背景技術】
【０００２】
従来、ボウル面の一部に棚部を有する水洗便器が知られている（例えば特許文献１参照）。
【０００３】
棚部は、ボウル面の上縁開口より下側の部分に、上縁開口に沿う平面視環状に形成される、上面が上方を向くものである。この棚部の上面に、ボウル周方向に吐出された洗浄水を乗せて周回させながら、ボウル径内側（ボウル面の中央部の底部側）に洗浄水を流下させる。
【０００４】
棚部の上面には、ボウル周方向の一部に、ボウル径内側の端部から上方に覆い壁部が突出し、棚部上の覆い壁部に覆われる空間が、給水部からの水が供給される給水空間となる。
【先行技術文献】
【特許文献】
【０００５】
【特許文献１】特開２００８−１３８４１９号公報
【発明の概要】
【発明が解決しようとする課題】
【０００６】
上記従来の水洗便器にあっては、給水部から給水空間に供給された水が、給水空間の下流端（覆い壁部の下流端）の吐水口より棚部の上面にボウル周方向に向けて吐出される。このとき、吐水口のすぐ下流側の部分では、洗浄水がボウル径内側に流下しにくかった。
【０００７】
本発明は上記従来の問題点に鑑みて発明したものであって、その目的とするところは、吐水口のすぐ下流側の部分において、洗浄水がボウル径内側に流下しやすい水洗便器を提供することにある。
【課題を解決するための手段】
【０００８】
上記課題を解決するために、本発明に係る一形態の水洗便器は、汚物および洗浄水を受ける上方に開口するボウル面を備える。
【０００９】
前記ボウル面は、棚部と、上部壁面と、を有する。前記棚部は、前記ボウル面の上縁開口から所定高さ下側の部分に前記上縁開口に沿う平面視環状またはＣ字状に形成され、上方を向く上面を有する。前記上部壁面は、前記棚部の前記上面のボウル径外側の端部から上がり法線がボウル径内側を向く。
【００１０】
水洗便器は、前記棚部の前記上面のボウル周方向の一部に、ボウル径内側の端部から上方に突出する覆い壁部を有する。
【００１１】
前記棚部の前記上面上の前記覆い壁部と前記上部壁面とで挟まれる空間が、給水部からの水が供給される給水空間となるとともに、前記棚部の前記上面の前記給水空間に対応する部分が給水面となる。前記棚部の前記上面の前記給水面より下流側の部分が、前記覆い壁部に覆われない棚面となる。
【００１２】
前記給水空間の下流端となるボウル周方向の端部が前記棚面へ水を吐出する吐水口となる。
【００１３】
前記給水空間の前記上部壁面に、ボウル径内側に突出してその上面が前記給水面となる突出部を有する。
【００１４】
前記突出部は、前記給水空間のボウル径内外方向の全長にわたって位置し、その上面である前記給水面がボウル径内側に下り傾斜する主傾斜面を有する。
【００１５】
前記主傾斜面は、ボウル径内側に位置する下主傾斜面と、前記下主傾斜面よりボウル径外側に位置する上主傾斜面とを有する。
【００１６】
前記棚面は、ボウル径内側に位置して前記下主傾斜面に接続する内接続領域に、上方に突出してその上面が前記棚面を構成する内棚面となる内突部を有し、前記内棚面が、ボウル径内側に下り傾斜する。
【発明の効果】
【００１７】
本発明に係る一形態の水洗便器にあっては、給水空間の下部を流れる洗浄水が突出部により減速されて、吐水口のすぐ下流側の部分において洗浄水がボウル径内側に流下しやすい。
【図面の簡単な説明】
【００１８】
【図１】図１は、本発明に係る第一実施形態の水洗便器の平面図である。
【図２】図２は、図１のＡ−Ａ線断面図である。
【図３】図３は、図１のＢ−Ｂ線断面図である。
【図４】図４は、同上の水洗便器のボウル部の平面図である。
【図５】図５は、同上のボウル部の給水空間周辺を前斜め上方より見た斜視図である。
【図６】図６は、同上のボウル部の給水空間周辺をボウル周方向前方より見た断面図である。
【発明を実施するための形態】
【００１９】
本発明は、水洗便器に関し、さらに詳しくは、ボウル面の一部に棚部を有する水洗便器に関する。
【００２０】
以下、第一実施形態の水洗便器について、図１〜図６に基いて説明する。
【００２１】
図１〜図３に示すように、水洗便器１は、ボウル部２と、リム部３と、を備える。
【００２２】
ボウル部２は、その内面が汚物および洗浄水を受けるボウル面２０となるもので、上方に開口する。ボウル部２は中央部が底部２１となり、底部２１に排水口部２２が設けられる。なお、底部２１は、ボウル部２の厳密な中央部に形成されなくてもよい。
【００２３】
ここで、前後左右について、図１〜図３に示すように定義する。水洗便器１にあっては、便座（不図示）に座る使用者の向きが設計上想定されており、この便座に座った使用者が向く方を前方とする。前方に対して後方、左方、右方が定まる。
【００２４】
排水口部２２は、図２、図３に示すように、縦筒部２２１の後部に横筒部２２２が接続されて内部空間が連続するように一体に形成された、筒状の部材である。排水口部２２の上流端となる縦筒部２２１の上端開口２２０が、ボウル部２の底部２１において上方に向けて開口している。排水口部２２の下流端となる横筒部２２２の後端開口が、後方に向けて開口している。
【００２５】
図示しないが、横筒部２２２の後端には、筒状をした可動トラップの軸方向の一端（基端）が接続される。可動トラップは、ゴム、樹脂等により形成される変形可能なトラップ筒を有する。
【００２６】
トラップ筒は、モータにより、軸方向の他端（先端）の位置および向きが変化する。トラップ筒の先端が上位置に位置するとともに先端開口が上方を向く姿勢で、トラップを構成し、ボウル部２内に溜水が形成可能となる。また、トラップ筒の先端が下位置に位置するとともに先端開口が下方を向く姿勢で、ボウル部２内の溜水が汚物とともに排出可能となる。
【００２７】
なお、このような可動トラップが設けられる必要はなく、横筒部２２２の後端に固定的なトラップ筒が接続されるものであってもよい。
【００２８】
水洗便器１は、上記可動トラップとともに一体的に組み込まれて、便器装置を構成する。便器装置は、可動トラップの他に、脱臭装置、局部洗浄装置といった各種装置を適宜備えてもよい。
【００２９】
ボウル部２の上縁には、リム部３が設けられている。リム部３は、上面３１に便座が載置される。図２、図３に示すように、リム部３は、平面視において、その内端縁がボウル部２の上端部（ボウル面２０の上縁開口２０１）よりも内側に位置している。
【００３０】
さらに第一実施形態では、図２、図３に示すように、リム部３に樹脂からなるスカート部１１が一体に固着されている。スカート部１１は、ボウル部２の前方、左方、右方を覆う。第一実施形態では、ボウル部２、リム部３およびスカート部１１が一体に形成されて、水洗便器１が構成されている。
【００３１】
さらに第一実施形態では、図示しないが、樹脂により一体に形成されているボウル部２、リム部３およびスカート部１１を補助的に支持する金属製のフレーム部が設けられている。
【００３２】
第一実施形態では、水洗便器１にリム部３およびスカート部１１が設けられているが、水洗便器１にリム部３およびスカート部１１が設けられなくてもよい。
【００３３】
ボウル面２０は、その一部として、図４に示すように、ボウル周方向（図４中の矢印１０）に通水された洗浄水をボウル面２０の上縁開口に沿って流すための棚部４を有する。
【００３４】
棚部４は、ボウル面２０の上縁開口２０１から所定高さ下側（上縁開口２０１から３０ｍｍ下側）の部分に、上縁開口２０１に沿う平面視環状に形成される。
【００３５】
第一実施形態では、棚部４はボウル面２０の上縁開口２０１から３０ｍｍ下側の部分に形成されているが、前記数値は例えば５ｍｍ〜１００ｍｍ等であってもよく、限定されない。
【００３６】
棚部４は、図２、図３に示すように、上方を向く上面４０を有する。上面４０は、その法線が鉛直上方に対して２０度以下の角度をなす方向を向く。第一実施形態では、上面４０とボウル面２０の上面４０のすぐ下側の部分とは、ボウル周方向に直交する断面において滑らかな曲線により連続しているが、特に限定されない。
【００３７】
ボウル面２０は、図２、図３に示すように、その一部として、棚部４の上面４０のボウル径外側（すなわち平面視におけるボウル面２０の中央側と反対側）の端部から上がる上部壁面２３を有する。上部壁面２３は、平面視環状に形成され、その法線がボウル径内側を向く。上部壁面２３の法線は、水平方向に対して上方に０〜４０度の角をなす。上部壁面２３の上端が、ボウル面２０の上縁開口２０１となる。第一実施形態では、ボウル部２の上縁開口２０１に連続するように上述したリム部３が設けられている。リム部３の法線が水平方向より下側を向く上壁面３２が、棚部４の上面４０の上方に位置している。
【００３８】
水洗便器１は、棚部４の上面４０のボウル周方向の一部に、ボウル径内側の端部から上方に突出する覆い壁部４２を有する。第一実施形態では、図４に示すように、ボウル面２０の右側の後ろ寄りの部分に、ボウル周方向の中心角にして１５〜２０度程度の覆い壁部４２が設けられている。
【００３９】
棚部４の上面４０上の覆い壁部４２と上部壁面２３とで挟まれる空間が、給水部６からの水が供給される給水空間５となる。給水部６は、水道または貯湯タンク等の水源から水が供給される。給水部６は、下流端に水を吐出する給水出口６０を有し、この下流端が給水空間５内に導入される。なお、あらかじめ給水空間５内に給水部６としての給水ノズル（不図示）が配置され、この給水ノズルに水源からの水を供給するための外部からの送水管（不図示）が接続されるようにしてもよい。また、給水ノズルを用いずに、給水出口６０を給水空間５を構成する部分と一体成型して形成してもよい。
【００４０】
棚部４の上面４０の給水空間５に対応する部分が給水面５０となる。棚部４の上面４０の給水面５０より下流側の部分が、覆い壁部４２に覆われない棚面４３となる。
【００４１】
給水空間５の上流端となるボウル周方向の一端側の部分に、所定の位置および向きで給水出口６０が配置される給水出口位置が定められる。図３、図４は、給水空間５に給水部６が配置されるとともに、給水出口位置に給水出口６０が所定の位置および向きで配置された状態を示している。第一実施形態では、給水出口６０の内径（直径）は１０ｍｍであるが、特に前記数値に限定されない。給水出口６０の所定の位置は、ボウル周方向については、図４、図５に示すように、給水空間５の後端部近傍である。また、給水出口６０の所定の位置は、上下方向については、図６に示すように、下端が給水面５０より若干（例えば１〜２ｍｍであるが、特に前記数値に限定されない）高く形成される。なお、給水出口６０の下端が給水面５０上に位置してもよい。また、給水出口６０の所定の位置は、ボウル径内外方向については、図６に示すように、給水空間５の中央部である。なお、給水出口６０が給水面５０のボウル径内外方向における中央部に位置しなくてもよい。
【００４２】
給水出口６０の所定の向きとは、図４に示すように、給水出口６０から吐出される洗浄水の向き（図中の矢印６１参照）がボウル周方向の下流側（図４における前側）となる向きである。
【００４３】
図４、図５に示すように、給水空間５の下流端となるボウル周方向の他端が、棚面４３へ水を吐出する吐水口４４となる。
【００４４】
図６に示すように、吐水口４４側から給水空間５を見たボウル周方向視において給水出口位置の下部に対応する上部壁面２３に、ボウル径内側に突出してその上面が給水面５０となる突出部７を有する。第一実施形態では、突出部７のボウル周方向における位置は、図４、図５に示すように、給水空間５の吐水口４４に接続する領域である。突出部７のボウル周方向における長さは、給水空間５のボウル周方向における長さの約半分である。なお、突出部７のボウル周方向における位置および長さは、前記に限定されない。
【００４５】
図６に示すように、突出部７の高さの中間（第一実施形態では突出部７の半分の高さであるが、限定されない）を仮想の境界として、給水空間５を下給水空間５１と上給水空間５２とに分割して考える。言い換えると、給水空間５の突出部７が位置する上下範囲の下部の特に狭められた領域を下給水空間５１とし、給水空間５の下給水空間５１の上側の領域を上給水空間５２とする。下給水空間５１のボウル周方向視における水平長さ５１１（ボウル径内外方向の長さ）が、上給水空間５２のボウル周方向視における水平長さ５２１よりも短く形成されている。
【００４６】
図６に示すように、吐水口４４側から給水空間５を見たボウル周方向視において給水出口位置の下部に対応する上部壁面２３に、ボウル径内側に突出してその上面が給水面５０となる突出部７を有する。突出部７は、給水空間５のボウル径内外方向の全長にわたって位置し、その上面である給水面５０が、ボウル径内側に下り傾斜する主傾斜面７１を有する。
【００４７】
図５、図６に示すように、主傾斜面７１は、ボウル径内側に位置する下主傾斜面７２と、下主傾斜面７２よりボウル径外側に位置する上主傾斜面７３とを有する。図６に示すように、上主傾斜面７３のボウル径内側に下り傾斜する下り傾斜角７３１が、下主傾斜面７２のボウル径内側に下り傾斜する下り傾斜角７２１よりも小さい。上主傾斜面７３の下り傾斜角７３１は、２５〜３０度であるが、特に前記数値に限定されない。下主傾斜面７２の下り傾斜角７２１は、５０〜６０度であるが、特に前記数値に限定されない。すなわち、主傾斜面７１のボウル径内側に下り傾斜する下り傾斜角は、２５〜６０度であるが、特に前記数値に限定されない。
【００４８】
図５に示すように、上主傾斜面７３は、ボウル周方向の下流側に向けて（矢印７３２参照）下り傾斜しており、その水平方向に対する傾斜角は５〜２０度であるが、特に前記数値に限定されない。
【００４９】
また、図５に示すように、上主傾斜面７３は、上流側へ行くほどボウル径内外方向の長さ７３３が短く形成されている。
【００５０】
また、図６に示すように、下主傾斜面７２と上主傾斜面７３とは、断面において滑らかな曲線により連続する。
【００５１】
図５に示すように、棚面４３は、ボウル径外側に位置して上主傾斜面７３に接続する外接続領域に、上方に突出してその上面が棚面４３を構成する外棚面４５０となる外突部４５を有する。外棚面４５０は、ボウル周方向の下流側に向けて（矢印４５１参照）下り傾斜しており、その水平方向に対する傾斜角は５〜２０度であるが、特に前記数値に限定されない。
【００５２】
外棚面４５０は、上主傾斜面７３に連続しており、外棚面４５０も上主傾斜面７３と同様にボウル径内側に向けて（矢印４５２参照）下り傾斜しており、その水平方向に対する傾斜角は２５〜３０度であるが、特に前記数値に限定されない。
【００５３】
また、棚面４３は、ボウル径内側に位置して下主傾斜面７２に接続する内接続領域に、上方に突出してその上面が棚面４３を構成する内棚面４６０となる内突部４６を有する。内棚面４６０は、ボウル径内側に向けて（矢印４６１参照）下り傾斜しており、その水平方向に対する傾斜角は４０〜６０度であるが、特に前記数値に限定されない。
【００５４】
内棚面４６０は、ボウル径内外方向において外棚面４５０と連続しているとともに、ボウル周方向において下主傾斜面７２に連続している。内棚面４６０は、ボウル周方向の下流側に向けて（矢印４６２参照）下り傾斜しており、その水平方向に対する傾斜角は５〜２０度であるが、特に前記数値に限定されない。
【００５５】
棚部４は、平面視環状に形成されている。このため、吐水口４４より棚面４３に吐出された洗浄水は、上部壁面２３にガイドされながら棚面４３を周回して覆い壁部４２のボウル径内側に到る。さらに洗浄水は、覆い壁部４２より下流側に流れると遠心力によりボウル径外側へと移動して、吐水口４４のすぐ下流側の部分へと進入しようとする。周回した洗浄水が吐水口４４のすぐ下流側の部分へと進入すると、吐水口４４より吐出された直後の洗浄水と衝突してしまう。
【００５６】
そこで、水洗便器１は、棚部４の覆い壁部４２よりボウル径内側の部分に、吐水口４４より吐出されて棚面４３を周回した水の進行方向をボウル径内側に変更させるガイド部８を有する。ガイド部８は、内突部４６と連続して一体に構成されており、構成を簡素にすることができる。また、ガイド部８を一体に有する内突部４６と、外突部４５と、突出部７とは一体に構成されており、より一層簡素な構成となっている。
【００５７】
ガイド部８は、下流側へ行くほどボウル径内側に位置するガイド面８０を有する。ガイド面８０は、上面がボウル径内側に向けて下り傾斜しており、その水平方向に対する傾斜角は４０〜６０度であるが、特に前記数値に限定されない。
【００５８】
第一実施形態の水洗便器１にあっては、洗浄水は、図４、図５に示すように、まず給水出口６０から矢印６１の向きで吐出される。図６に示すように、給水出口６０から吐出された洗浄水のうち、上給水空間５２の部分を通過する洗浄水は、その大部分が突出部７の上方を飛び越えるとともに、残りの一部が突出部７の上面の給水面５０上に乗って突出部７を通過して、図５に示す吐水口４４より棚面４３へと吐出される。このため、上給水空間５２の部分を通過する洗浄水は、図６に示すように、突出部７が位置せず水平長さ５２１が長い上給水空間５２を小さな流路抵抗で通過することができ、流速を大きく削がれることなく棚面４３を周回することができる。
【００５９】
一方、給水出口６０から吐出された洗浄水のうち、下給水空間５１の部分を通過する洗浄水は、突出部７の突出により水平長さ５１１が上給水空間５２の水平長さ５２１より短く、上給水空間５２よりも流路抵抗が大きな下給水空間５１を通過する。このため、下給水空間５１の部分を通過する洗浄水は、突出部７の横を通過する際に流速を大きく削がれ、吐水口４４から棚面４３へと吐出された後、棚面４３を周回しにくく、ボウル径内側に流下しやすくなる。
【００６０】
これにより、吐水口４４のすぐ下流側の部分において、突出部７がない場合よりも多量の洗浄水がボウル径内側に流下して、吐水口４４のすぐ下流側のボウル径内側のボウル面２０に付着した汚れが洗い流されやすくなる。
【００６１】
また、突出部７が下主傾斜面７２と上主傾斜面７３とを有し、上主傾斜面７３の下り傾斜角７３１が下主傾斜面７２の下り傾斜角７２１よりも小さく形成されている。このため、上給水空間５２の部分を通過する洗浄水の一部は、突出部７の上面の給水面５０上に乗って流れるが、このとき上主傾斜面７３を下流側に流れる洗浄水はボウル径内側に向けた力を大きくは受けない。これにより、上主傾斜面７３より棚面４３に流れた洗浄水が棚面４３を周回しやすくなる。
【００６２】
また、上主傾斜面７３に接続する外棚面４５０を有する外突部４５が設けられており、外棚面４５０がボウル周方向の下流側に向けて下り傾斜するため、上主傾斜面７３から棚面４３へと洗浄水が急激に降下（落下）して、洗浄水の運動エネルギーが損失されるのが抑制される。
【００６３】
また、下主傾斜面７２に接続する内棚面４６０を有する内突部４６が設けられており、内棚面４６０がボウル径内側に向けて下り傾斜するため、吐水口４４のすぐ下流側の部分において、吐水口４４から棚面４３へと吐出された洗浄水がより一層、ボウル径内側に流下しやすくなる。
【００６４】
また、上主傾斜面７３は、ボウル周方向の下流側に向けて下り傾斜するとともに上流側へ行くほどボウル径内外方向の長さ７３３が短く形成されている。このため、下給水空間５１の上主傾斜面７３上の流路抵抗が連続的に変化するため、急激な流路抵抗の変化により洗浄水の運動エネルギーが大きく損失するのが抑制される。
【００６５】
また、下主傾斜面７２と上主傾斜面７３とは、断面において滑らかな曲線により連続する。このため、下給水空間５１の下主傾斜面７２と上主傾斜面７３とに対応する部分における流路抵抗が連続的に変化するため、流路抵抗が急激に変化することによる洗浄水の運動エネルギーの損失が抑制される。
【００６６】
また、ガイド部８により、棚面４３を周回して覆い壁部４２のボウル径内側の部分に到達した洗浄水が、進行方向をボウル径内側に変更されるため、吐水口４４より吐出された直後の洗浄水と衝突するのが抑制される。
【００６７】
また、主傾斜面７１により下給水空間５１の流路抵抗が上下方向において連続的に変化して、流路抵抗が上下方向において急激に変化することによる洗浄水の運動エネルギーの損失が抑制される。
【００６８】
以上、述べた第一実施形態から明らかなように、第１の態様の水洗便器１は、汚物および洗浄水を受ける上方に開口するボウル面２０を備える。
【００６９】
ボウル面２０は、棚部４と、上部壁面２３と、を有する。棚部４は、ボウル面２０の上縁開口２０１から所定高さ下側の部分に上縁開口２０１に沿う平面視環状またはＣ字状に形成され、上方を向く上面４０を有する。上部壁面２３は、棚部４の上面４０のボウル径外側の端部から上がり法線がボウル径内側を向く。
【００７０】
水洗便器１は、棚部４の上面４０のボウル周方向の一部に、ボウル径内側の端部から上方に突出する覆い壁部４２を有する。
【００７１】
棚部４の上面４０上の覆い壁部４２と上部壁面２３とで挟まれる空間が、給水部６からの水が供給される給水空間５となるとともに、棚部４の上面４０の給水空間５に対応する部分が給水面５０となる。棚部４の上面４０の給水面５０より下流側の部分が、覆い壁部４２に覆われない棚面４３となる。
【００７２】
給水空間５の下流端となるボウル周方向の端部が棚面４３へ水を吐出する吐水口４４となる。
【００７３】
給水空間５の上部壁面２３に、ボウル径内側に突出してその上面が給水面５０となる突出部７を有する。
【００７４】
突出部７は、給水空間５のボウル径内外方向の全長にわたって位置し、その上面である給水面５０がボウル径内側に下り傾斜する主傾斜面７１を有し、
主傾斜面７１は、ボウル径内側に位置する下主傾斜面７２と、下主傾斜面７２よりボウル径外側に位置する上主傾斜面７３とを有する。
【００７５】
棚面４３は、ボウル径内側に位置して下主傾斜面７２に接続する内接続領域４３１に、上方に突出してその上面が棚面４３を構成する内棚面４６０となる内突部４６を有し、内棚面４６０が、ボウル径内側に下り傾斜する。
【００７６】
第１の態様によれば、下給水空間５１の部分を通過する洗浄水は、突出部７の横を通過する際に流速を大きく削がれ、吐水口４４から棚面４３へと吐出された後、ボウル径内側に流下しやすくなる。
【００７７】
第２の態様では、第１の態様との組み合わせにより実現される。第２の態様では、棚面４３は、ボウル径外側に位置して上主傾斜面７３に接続する外接続領域に、上方に突出してその上面が棚面４３を構成する外棚面４５０となる外突部４５を有し、外棚面４５０が、ボウル周方向の下流側に向けて下り傾斜する。
【００７８】
第２の態様によれば、上主傾斜面７３から棚面４３へと洗浄水が落下して、洗浄水の運動エネルギーが損失されるのが抑制される。
【００７９】
第３の態様では、第１の態様または第２の態様との組み合わせにより実現される。第３の態様では、上主傾斜面７３は、ボウル周方向の下流側に向けて下り傾斜するとともに上流側へ行くほどボウル径内外方向の長さ７３３が短く形成されている。
【００８０】
第３の態様によれば、下給水空間５１の上主傾斜面７３上の流路抵抗が連続的に変化するため、急激な流路抵抗の変化により洗浄水の運動エネルギーが大きく損失するのが抑制される。
【符号の説明】
【００８１】
１      水洗便器
２０    ボウル面
２０１  上縁開口
２３    上部壁面
４      棚部
４０    上面
４２    壁部
４３    棚面
４３１  内接続領域
４４    吐水口
４５    外突部
４５０  外棚面
４６    内突部
４６０  内棚面
５      給水空間
５０    給水面
５１    下給水空間
６      給水部
６０    給水出口
７      突出部
７１    主傾斜面
７２    下主傾斜面
７３    上主傾斜面
７３３  長さ
【図１】
2018123550.tif 000003
【図２】
2018123550.tif 000004
【図３】
2018123550.tif 000005
【図４】
2018123550.tif 000006
【図５】
2018123550.tif 000007
【図６】
2018123550.tif 000008